(57)【特許請求の範囲】
【請求項１】
複数のパチンコ遊技機を並列設置したパチンコ遊技機設置島に設置され、基部が玉揚送装置本体に固着された第１移送管と、上端部が上部貯留タンク内に位置するように取り付けられた第２移送管とを離脱可能に結合することにより第１移送管内及び第２移送管内を玉が揚送されるようにした玉揚送装置において、
第１移送管の上端には玉受け皿を固着し、第２移送管の下端には前記玉受け皿に密着嵌合される連結板を固着して、第１移送管と第２移送管とを離脱可能に結合したうえに、
玉受け皿には、第１移送管と第２移送管との結合を分離したときに、第２移送管から落下する玉を受け止める玉受止部と、この玉受止部で受け止めた玉を下部貯留タンクに導く導出部とを設けたことを特徴とするパチンコ遊技機設置島における玉揚送装置。
【請求項２】
第１移送管の上端及び第２移送管の下端にそれぞれ取り付け金具を設け、これらの取り付け金具により、第１移送管の上端に玉受け皿を固着し、第２移送管の下端に連結板を固着したことを特徴とする請求項１に記載のパチンコ遊技機設置島における玉揚送装置。
【請求項３】
第２移送管の下端に、この第２移送管の下端を持ち上げるためのリフト機構を接続したことを特徴とする請求項１又は２に記載のパチンコ遊技機設置島における玉揚送装置。
【請求項４】
リフト機構は、先端が連結板に固定されたワイヤーと、当該ワイヤーを巻き取るためのハンドル付きシャフトとからなることを特徴とする請求項３に記載のパチンコ遊技機設置島における玉揚送装置。
【発明の詳細な説明】
【０００１】
【発明の属する技術分野】
本発明は、パチンコ遊技機を設置した島内のパチンコ玉の揚送に使用するパチンコ遊技機設置島における玉揚送装置に関するものである。
【０００２】
【従来の技術】
複数台のパチンコ遊技機を設置した設置島には、各パチンコ遊技機から回収される玉を貯留する下部貯留タンクと、設置島内の各パチンコ遊技機に分配したり、隣設する設置島に玉を分配するための上部貯留タンクと、下部貯留タンクから上部貯留タンクに玉を揚送する玉揚送装置とが設置されている。従来、この玉揚送装置としては、無端ベルトを使用したものが一般的であったが、無端ベルトを使用したものは大きな設置スペースを要するため、本願出願人は先にパチンコ玉をパイプ管中に一列状態で押し込んで揚送する玉揚送装置を実用化しており、これが設置スペースを削減できることから多く使用されるようになってきている。
【０００３】
ところが、上記のようなパイプ管を使用した玉揚送装置では、パイプ管の下端が玉揚送装置本体に固着された構造となっているため、設置島への取り付け工事の作業性が悪く、取り扱いが煩雑であるという問題があった。また、玉揚送装置本体の保守作業の場合にも、内部に玉の詰まったパイプ管が固着されているために玉揚送装置本体を単独で引き出すことができず、作業性が悪いという問題があった。
【０００４】
この問題を解決するため、本願出願人は特開２００１−０００７２０のように移送管を分割し、基部が玉揚送装置本体に固着された第１移送管と、上端部が上部貯留タンク内に位置するように取り付けられた第２移送管とを設け、第１移送管と第２移送管とを正確に接合させるためにそれぞれの移送管にジョイント部材を取り付け、ジョイント部材相互を接合して係止手段により固定できる構造とし、取り付け工事や保守作業の際には分離できるようにした玉揚送装置を実用化している。
【０００５】
このような玉揚送装置では、保守作業のために第１移送管と第２移送管を分離すると第２移送管内の玉が落下して散乱する虞があるため、第２移送管の下端に逆流防止手段を設けて玉を第２移送管内に保持するようにしていた。ところが、第２移送管内に玉を保持すると玉の重量が第２移送管にかかるため、第２移送管をリフトアップする際に大きな力を要し、また、第２移送管のメンテナンス等のために第２移送管を取り外そうとする場合には残留した玉が障害になり、別途玉受け用の容器を用意したうえでて玉の抜き取り作業を要するという問題があった。
【０００６】
【発明が解決しようとする課題】
本発明は上記の問題点を解決し、第１移送管と第２移送管を分離した際に第２移送管内の玉を下部貯留タンクに回収することができるパチンコ遊技機設置島における玉揚送装置を提供するためになされたものである。
【０００７】
【課題を解決するための手段】
上記の問題を解決するためになされた本発明のパチンコ遊技機設置島における玉揚送装置は、複数のパチンコ遊技機を並列設置したパチンコ遊技機設置島に設置され、基部が玉揚送装置本体に固着された第１移送管と、上端部が上部貯留タンク内に位置するように取り付けられた第２移送管とを離脱可能に結合することにより第１移送管内及び第２移送管内を玉が揚送されるようにした玉揚送装置において、
第１移送管の上端には玉受け皿を固着し、第２移送管の下端には前記玉受け皿に密着嵌合される連結板を固着して、第１移送管と第２移送管とを離脱可能に結合したうえに、
玉受け皿には、第１移送管と第２移送管との結合を分離したときに、第２移送管から落下する玉を受け止める玉受止部と、この玉受止部で受け止めた玉を下部貯留タンクに導く導出部とを設けたことを特徴とするものである。
【０００８】
なお、第１移送管の上端及び第２移送管の下端にそれぞれ取り付け金具を設け、これらの取り付け金具により、第１移送管の上端に玉受け皿を固着し、第２移送管の下端に連結板を固着することができる。また、第２移送管の下端に、この第２移送管の下端を持ち上げるためのリフト機構を接続することができ、このリフト機構を、先端が連結板に固定されたワイヤーと、当該ワイヤーを巻き取るためのハンドル付きシャフトとからなるものとすることができる。
【０００９】
【発明の実施の形態】
次に、本発明のパチンコ遊技機設置島における玉揚送装置に係る実施形態について、図を参照しながら具体的に説明する。
図１乃至４は本発明の実施の形態を示す斜視図であって、機枠１の下部には玉揚送装置本体２が設けてある。玉揚送装置本体２は玉揚送装置本体機台３上に取り付けてあり、玉揚送装置本体２の上部には第１移送管４が設けてある。第１移送管４はその内部をパチンコ玉が一列になって押し上げられる内面形状の金属管であって、その基部は取り付け金具５により玉揚送装置本体２に固着してあり、上端には玉受止部である玉受け皿６が取り付け金具７により固着してある。玉受け皿６の周壁８は外側に開く傾斜面とし、底面には傾斜面の玉受け部９が設けてあり、該玉受け部９の傾斜面底部には樋状の導出部１０が設けてある。
【００１０】
この例では玉揚送装置本体２を２基設け、図３に示すように第１移送管４は５本の金属管を並列にしたものをそれぞれの玉揚送装置本体２に固着しており、玉受け皿６は第１移送管４に固着することにより保持するようにしている。この、第１移送管４の本数は必要とされる揚送能力に応じて適宜に設定することができ、玉受け皿６の保持手段を別途設ければ、第１移送管４にフレキシブルな管を使用することが可能である。
【００１１】
機枠１の上部にはリフト機構が設けてある。この例ではリフト機構はハンドル１１、ラチェット機構１２、シャフト１３及び補助シャフト１４から構成しており、シャフト１３にワイヤー１５の基端を固定してハンドル１１を回動することによりワイヤー１５がシャフト１３に巻き取られ、補助シャフト１４に誘導されて玉受け皿６の上方に位置させたワイヤー１５の先端が引き上げられるようにしてある。このリフト機構については、ねじ式、クランク式、カム式、リンク式等任意の方式のものとすることができる。
【００１２】
第２移送管１６は図４に示す下端を取り付け金具１７により連結板１８に固着してあり、該連結板１８にはワイヤー１５の先端が固定してある。連結板１８と玉受け皿６とは第１移送管４と第２移送管１６とを正確に接合させるための接合部材を構成している。すなわち、連結板１８は玉受け皿６の底面に密着嵌合する大きさとして玉受け皿６に上方から密着できるように臨ませてあり、連結板１８を玉受け皿６の底面に密着させたとき第１移送管４の各中心と第２移送管１６の各中心とが一致するようにしてある。
【００１３】
１９は連結板１８に設けたねじ孔２０に螺合して連結板１８を玉受け皿６の底面に密着させた状態で固定する固定ねじであって、玉受け皿６の下面に設けた固定ねじ保持金具２１に保持させてある。なお、固定ねじ１９には固定ねじ保持金具２１に挿通した状態でＧリング等の抜け止め部材を装着し、固定ねじ１９の連結板１８に対する螺合を解いた状態でも落下しないようにしてある。２２は導出部１０から回収される玉を下部貯留タンクへ導く玉回収樋である。
【００１４】
前記のように構成した玉揚送装置はパチンコ遊技機設置島において図８に示すように設置される。図８において、３１、３１は背中合わせに設置されたパチンコ遊技機、３２は設置島内の下部領域に設けられた下部貯留タンク、３３は上部領域に設けられた上部貯留タンク、３４は下部領域に設けられた玉揚送装置であり前記のように構成したものである。このとき連結板１８は玉受け皿６の底面に嵌合、密着させ、固定ねじ１９をねじ孔２０に螺合して固定してあり、第２移送管１６の上端は上部貯留タンク３３内に位置させてある。下部貯留タンク３２に貯留された玉は図示しない玉研磨装置等を経由して玉揚送装置３４に供給され、玉揚送装置本体２を運転すれば、玉揚送装置本体２から第１移送管４、第２移送管１６を通って上部貯留タンク３３まで揚送されることになる。
【００１５】
玉揚送装置本体２のメンテナンス等のために玉揚送装置本体２を引き出す必要が生じた場合には、先ず玉揚送装置本体２の運転を停止する。この状態では図５に示すように第２移送管１６内に玉が残留した状態となる。なお、図示していないが第１移送管４内も玉が充満した状態となっている。固定ねじ１９を緩めて固定ねじ１９のねじ孔２０への螺合を解除したうえハンドル１１を回せば、ワイヤー１５はシャフト１３に巻きつけられてワイヤー１５の先端が引き上げられることとなり、ワイヤー１５の先端が固定された連結板１８も引き上げられて図６に示すような状態となる。この状態では、連結板１８と玉受け皿６の底面との間に間隙が生じ、第２移送管１６内の玉は連結板１８と玉受け皿６の底面との間に生じた間隙から玉受け皿６内に落下し、玉受け部９、導出部１０から玉回収樋２２を経て下部貯留タンク３２に到ることとなる。
【００１６】
このハンドル１１を回すことによる連結板１８のリフトアップ操作に際しては第２移送管１６内の玉を持ち上げないので大きな力を要することがなく、また、第２移送管１６内の玉が落下する間はラチェット機構１２によりシャフト１３の逆転が抑止されるのでハンドル１１を保持している必要はない。このようにして第２移送管内に残留した玉は全て下部貯留タンク３２内に回収されるので、さらにハンドル１１を回せば連結板１８は図７に示すように引き上げられ、玉揚送装置本体２は玉揚送装置本体機台３に取り付けられた状態で機枠１から引き出すことができる。この玉揚送装置本体２、第１移送管４が引き出された状態では第２移送管１６の取り外し、メンテナンス等も容易に実施することができる。なお、第１移送管４内に残留した玉は、要すれば玉揚送装置本体２に排出機構を設けることにより回収することができる。
【００１７】
玉揚送装置本体２その他のメンテナンス等必要な作業を終了した後においては、玉揚送装置本体２を玉揚送装置本体機台３に取り付けた状態で機枠１内に戻し入れ、装着する。その後ラチェット機構１２を解除し、ハンドル１１を逆回転して戻せばワイヤー１５の先端及び連結板１８は降下し、連結板１８は玉受け皿６の底面に密着することになるので、固定ねじ１９をねじ孔２０に螺合して締め付ける。これにより再度玉が第１移送管４から第２移送管１６を通って移送できる状態となる。固定ねじ１９による連結板１８と玉受け皿６との固定は、玉が揚送される際の玉の動きに従動して第２移送管１６が誤って持ち上げられることがないようにするためのものである。
【００１８】
【発明の効果】
以上説明した本発明によれば、第１移送管と第２移送管を分離した際に第２移送管内の玉を下部貯留タンクに回収することができるようにしたので、第２移送管をリフトアップする際に大きな力を要することがなく、第２移送管のメンテナンス等のために第２移送管を取り外そうとする場合には残留した玉が障害になることがないという利点がある。
【図面の簡単な説明】
【図１】本発明の実施の形態を示す斜視図である。
【図２】機枠を示す斜視図である。
【図３】玉揚送装置本体及び第１移送管の構成を示す斜視図である。
【図４】第２移送管の構成を示す斜視図である。
【図５】第１移送管と第２移送管とを接合した状態の要部を示すもので、Ａは正面図、Ｂは側面図である。
【図６】第１移送管と第２移送管とを分離する途中の状態の要部を示すもので、Ａは正面図、Ｂは側面図である。
【図７】第１移送管と第２移送管とを分離した状態の要部を示すもので、Ａは正面図、Ｂは側面図である。
【図８】パチンコ遊技機設置島の概念的な構成を示す断面図である。
【符号の説明】
１  機枠
２  玉揚送装置本体
３  玉揚送装置本体機台
４  第１移送管
５  取り付け金具
６  玉受け皿
７  取り付け金具
８  周壁
９  玉受け部
１０  導出部
１１  ハンドル
１２  ラチェット機構
１３  シャフト
１４  補助シャフト
１５  ワイヤー
１６  第２移送管
１７  取り付け金具
１８  連結板
１９  固定ねじ
２０  ねじ孔
２１  固定ねじ保持金具
２２  玉回収樋
３１  パチンコ遊技機
３２  下部貯留タンク
３３  上部貯留タンク
３４  玉揚送装置
【図１】
0003773815.tif 000002
【図２】
0003773815.tif 000003
【図３】
0003773815.tif 000004
【図４】
0003773815.tif 000005
【図５】
0003773815.tif 000006
【図６】
0003773815.tif 000007
【図７】
0003773815.tif 000008
【図８】
0003773815.tif 000009